(57)【要約】【課題】  電気掃除機用集塵袋において、漏れが少なく集塵効率の良いものにすることにあり、また微細ゴミも有効に除去でき、環境面や健康面からも優れた性能を有する電気掃除機用集塵袋および電気掃除機を提供することにある。【解決手段】  電気掃除機用集塵袋が、メルトブロー不織布からなる中間層材とその両面に外層材と内層材を有するフィルター層Ａ、Ｂからなり、そのＡ層とＢ層が互いに内層材を内側にして積層され、袋周辺部が接合されることにより構成されており、この袋周辺部の接合の一部が、層Ａの内層材と中間層材との接合部（Ｓａ−１）、層Ａと層Ｂの接合部（Ｓｃ）、層Ｂの内層材と中間層材との接合部（Ｓｂ−１）とが、袋の厚み方向の断面において接着剤が貫通する部分を有するように接合されていることを特徴とする。【選択図】  図４
2008079905.tif 000002
【特許請求の範囲】
【請求項１】
袋の一面に吸引口を有する電気掃除機用集塵袋であって、
該袋は、フィルター層Ａとフィルター層Ｂが、メルトブロー不織布からなる中間層材とその両面に外層材と内層材を有し、互いに該内層材を内側にして積層され、袋周辺部が接合されることにより構成されており、
該袋周辺部の接合の一部が、層Ａの内層材と中間層材との接合部（Ｓａ−１）、層Ａと層Ｂの接合部（Ｓｃ）、層Ｂの内層材と中間層材との接合部（Ｓｂ−１）とが、袋の厚み方向の断面において接着剤が貫通する部分を有するように接合されていることを特徴とする電気掃除機用集塵袋。
【請求項２】
前記貫通する接合部のさらに袋の周辺部において、前記フィルター層Ａの外層材と前記フィルター層Ｂの外層材とが接合されている請求項１の電気掃除機用集塵袋。
【請求項３】
前記貫通する接合部のさらに袋の周辺部において、前記フィルター層Ａの外層材、中間層材、内層材と、前記フィルター層Ｂの外層材、中間層材、内層材とが接合されている請求項１の電気掃除機用集塵袋。
【請求項４】
前記袋周辺部の接着剤接合において、前記袋の断面における貫通部を複数有する請求項１の電気掃除機用集塵袋。
【請求項５】
請求項１の電気掃除機用集塵袋を装着してなる電気掃除機。
【発明の詳細な説明】
【技術分野】
【０００１】
本発明は、電気掃除機用集塵袋に関し、特に、袋の接合部からの漏れが少ない、フィルター特性の良い高品質の電気掃除機用集塵袋に関する。
【背景技術】
【０００２】
電気掃除機用集塵袋の袋の形成には、一層のフィルター層からなり、フィルター層の内層材と外層材が接合されることによって筒を形成し、前後をシールすることによって袋を形成する方式（胴貼方式、例えば特開平１１−２８５４６０、特開２００１−１２０４７６）が一般的である。また他の方式として、二層のフィルター層を用いて、フィルター層Ａの内層材層と、フィルター層Ｂの内層材層とが接合されて袋が形成される方式（合掌方式）がある。胴貼方式は、袋の側面を折り畳みギャザーまたはガゼットを構成し、さらに袋の前後に折り返し接合部を有しており、コンパクトな形式の袋とすることができることに特徴を有する。合掌方式は、形状が単純で製造が容易であることや、フィルターＡ層とＢ層の特性を異にする組み合わせを可能にするなどの特徴を有する。本発明は、従来の合掌方式を改善した発明を提供することを目的とする。
【０００３】
従来の合掌方式は、その接合方式が融着（超音波接着を含め、フィルターを構成する繊維を融かすことで層間を接合する方式）によって行われている。しかしその融着方式では、繊維が融解することにより繊維の切断やフィルター層に切れ目が生じ、特に中間層材のメルトブロー不織布が融解して切断することにより漏れが生じ、集塵効率の良い電気掃除機用集塵袋とはなりえない問題点があった。当然、接着剤による接合方式も想定されるが、単に接着剤によって接合したのみでは、不織布の内部や層間を通じて漏れが生じ易く、高性能な集塵袋とはなりえなかった。
【０００４】
【特許文献１】特開平１１−２８５４６０号公報（第１−２頁、第３図）
【特許文献２】特開２００１−１２０４７６号公報（第１−２頁、第１図）
【発明の開示】
【発明が解決しようとする課題】
【０００５】
本発明は、上記従来技術の欠点を除くためになされたものであって、その目的とするところは、電気掃除機用集塵袋の合掌方式の袋において、漏れが少なく集塵効率の良いものにすることにある。また本発明は、微細ゴミも有効に除去でき、環境面や健康面からも優れた性能を有する電気掃除機用集塵袋および電気掃除機を提供することにある。
【課題を解決するための手段】
【０００６】
本発明は上記の目的を達成するためになされたものであって、本発明の電気掃除機用集塵袋は、袋の一面に吸引口を有し、フィルター層Ａとフィルター層Ｂがメルトブロー不織布からなる中間層材とその両面に外層材と内層材を有し、互いに内層材を内側にして積層され、袋周辺部が接合されることにより構成されており、この袋周辺部の接合の一部が、層Ａの内層材と中間層材との接合部（Ｓａ−１）、層Ａと層Ｂの接合部（Ｓｃ）、層Ｂの内層材と中間層材との接合部（Ｓｂ−１）とが、袋の厚み方向の断面において接着剤が貫通する部分を有するように接合されていることを特徴とする。また前記貫通する接合部のさらに袋の周辺部において、前記フィルター層Ａの外層材と前記フィルター層Ｂの外層材とが接合されている電気掃除機用集塵袋に関する。また前記貫通する接合部のさらに袋の周辺部において、前記フィルター層Ａの外層材、中間層材、内層材と、前記フィルター層Ｂの外層材、中間層材、内層材とが接合されている電気掃除機用集塵袋に関する。また本発明は、前記袋周辺部の接着剤接合において、前記袋断面の貫通部を複数有する請求項１の電気掃除機用集塵袋に関する。さらに本発明は、前記電気掃除機用集塵袋を装着してなる電気掃除機に関する。
【０００７】
本発明は、電気掃除機用集塵袋に関する。電気掃除機用集塵袋は、近年、吸引力を上昇させると同時に健康志向から排気空気中の大気塵、ダニの死骸や糞、花粉などの微細ゴミの量を極限まで減少させることが求められている。そのような要件の下、掃除機への負担を減らすべく、圧力損失の減少、長期にわたる耐久性や捕集性能が求められる。このようにますます高品質のフィルター機能が求められており、従来の合掌方式の袋の接合方式では、求められる性能を満足することができなくなってきている。
【０００８】
電気掃除機用集塵袋は、フレキシブルな袋からなるが、袋の片面には掃除機本体部へ通じる吸引口を有する支持板が設けられる必要がある。この支持板は、電気掃除機本体に機械的に固定されるため、ある程度硬いしっかりしたものである必要があり、板紙やプラスチックシート等で構成されることが多い。
【０００９】
本発明の電気掃除機用集塵袋は、フィルター層Ａとフィルター層Ｂとの内層材層相互間が接合されることによって構成されている。このフィルター層Ａとフィルター層Ｂは、外層材、中間層材、内層材の３種類の材料が積層された構成であることは共通する。そして、それぞれの外層材、中間層材、内層材は、それぞれの層がさらに複数の層からなるようにすることもできる。例えば、中間層材をＳＭＳ（スパンボンド不織布−メルトブロー不織布−スパンボンド不織布）のようなケースや、外層材において、２層抄の湿式不織布からなる場合や、単にそれぞれの層材を複数枚使用することもできる。フィルター層Ａとフィルター層Ｂは、通常２枚のフィルター層からなるが、一枚のフィルター層を折り返して使用することもできる。なお、このフィルター層Ａとフィルター層Ｂが２枚からなる場合、それらは同じ構造にすることもできるが、フィルター層Ａの外層材は吸引口を有する支持板を設ける必要性などから接合性のある材質とし、フィルター層Ｂの外層材は、耐衝撃性のある材質にするなど、異なった構造や材質にすることもできる。
【００１０】
本発明における外層材は、中間層材となるメルトブロー不織布を保護する役目や、袋全体の強度を有する必要性や、この集塵袋に吸引口を有する支持板を取り付ける必要性や、集塵袋が掃除機本体との摩擦に耐える必要性や、袋の電気掃除機からの脱着の必要性などのため、力学的強度を要する。また、支持板や中間層材であるメルトブロー不織布との接着接合性の良い素材であることが望ましい。しかし、それらの特性を有しながら、フィルター性能をできるだけ妨げないものが望ましい。それらの特性から、本発明の外層材は不織布であって、特にスパンボンド不織布又は湿式不織布であることが望ましい。また、トウ開繊不織布や直交不織布、クロスレイ不織布等も使用することができる。
【００１１】
本発明の中間層材には、メルトブロー不織布が使用され、フィルター層のフィルター機能の中核をなす。メルトブロー不織布のフィルター機能が向上されたものは、柔軟で嵩高であるため力学的強度が著しく低く、製袋や接着加工時の取扱性が悪い。そのため、外層材や内層材で保護して使用する必要がある。なお、このメルトブロー不織布は、エレクトレット加工されていることが望ましい。
【００１２】
本発明の内層材は、メルトブロー不織布の保護やメルトブロー不織布と内層材および内層材相互の接着適合性をアップするために使用される。本発明の内層材は不織布であって、特に乾式不織布、スパンボンド不織布、湿式不織布から選ばれた１種の不織布であることが望ましい。またこの内層材には、抗菌性や消臭性、防カビ性などの機能を持たせることが好ましい。
【００１３】
本発明の電機掃除機用集塵袋の袋形成方式は、フィルター層Ａとフィルター層Ｂが、互いにその内層材が接合されることによって構成される合掌方式が採用される。合掌方式は、製袋が容易であることや、フィルター層Ａは、掃除機からの吸引口を設けるための吸引口を有する支持板との接合性を重視し、フィルター層Ｂは吸引されてきた金属などに対する衝撃特性を高めた構造にするなど、フィルター層Ａとフィルター層Ｂとの特性を異にする組み合わせを可能にする。また、胴貼方式のように折り返し部を有しないため、歩留も良いことも特徴である。本発明は、従来の合掌方式を改善した発明を提供することを目的とする。
【００１４】
本発明の電気掃除機用集塵袋は、袋周辺部が接合されて袋が形成されるが、その袋の形状は通常４角形であるが、６角形、８角形、楕円形など種々の形状をとることができる。袋周辺部とは、袋の外縁部の内側で、同じ材料で袋の容積を出来るだけ大きくとれるよう、できるだけ外縁部に近い場所が望ましいが、高速生産における接合精度や接合作業の容易性から決められる。通常、外縁部から１〜２０ｍｍ内側であることが望ましい。
【００１５】
本発明における集塵袋の周辺部の接合は、本発明のフィルター層が１枚のフィルター層からなり折り返すことで構成されている場合は、その折り返し部分は接合する必要がない。また周辺部の接合の全てを、下記に示す接着剤接合である必要はなく、一部の辺では、従来の折り返し接合などを使用してもよい。袋が４角形である場合の例として、袋の前後を従来の折り返し接合とし、両サイドは本発明の接着剤接合とすることもできる（２方接着剤接合）。また、本発明のフィルター層が１枚のフィルター層からなり折り返すことで構成されている場合は、折り返し部分以外の３方を接着剤接合とすることで袋が形成される（３方接着剤接合）。また、フィルター層が１層の場合で、前後を折り返し接合とすると、１方向だけ接着剤接合とすることもできる。しかし通常は、４角形の４辺を接着剤接合することで袋が形成される（４方接着剤接合）。    
【００１６】
集塵袋の袋周辺部を接合する接合方式としては、大別して融着方式、接着剤方式、機械的接合の３種類がある。融着方式は、接合部分を構成する材料そのものが融解されて接合する方式で、外部から接着性物質（接着剤）を使用することはない。融着方式には、ヒートシーラーなどによる加熱圧着による方式や、超音波接着、高周波接着、誘電加熱接着などの方式がある。合掌方式での電気掃除機用集塵袋は、現在は融着方式による接合が採用されているが、フィルター層を形成する繊維素材を上記のように融解するため、繊維の有する強度を失い、また、不織布は厚みムラがあるため、融着が不十分な部分や過度の融着でメルトブロー不織布が切断して切れ目が生じて穴が開いてしまうなど、品質上の問題点がある。また、繊維が融着しているため力学的に強度を失っており、長期にわたる耐久性や捕集性能が劣化してくる問題点もあった。機械的接合は、糸による縫合や針などによる接合である。しかし、機械的接合は、糸や針の間でフィルター性能を著しく損なうことや、糸や針を通じて空気が漏れることより、フィルター分野では一般に採用されていない。
【００１７】
本発明は、融着方式や機械的接合の問題点を回避するため、合掌方式での電気掃除機用集塵袋の接合方式として、接着剤方式を採用する。集塵袋のフィルター層は多層構造をなしているため、それぞれの層間を単に接着剤で接合するのみでは、本発明の目的である集塵効率の良い集塵袋とはなりえない。本発明では、袋周辺部の接合の一部が、層Ａの内層材と中間層材との接合部（Ｓａ−１）、層Ａと層Ｂの接合部（Ｓｃ）、層Ｂの内層材と中間層材との接合部（Ｓｂ−１）の袋の厚み方向の断面で接着剤が貫通する部分を有するように接着剤により接合されていることを特徴とする。袋周辺部の接合の一部としたのは、本発明の合掌方式における袋周辺部の接合にあっては、上記のように１方接着剤接合、２方接着剤接合、３方接着剤接合の場合のように、本発明の接着剤接合を必ずしも必要としない辺があるからである。
【００１８】
本発明における接着剤接合は、層Ａの内層材と中間層材との接合部（Ｓａ−１）、層Ａと層Ｂの接合部（Ｓｃ）、層Ｂの内層材と中間層材との接合部（Ｓｂ−１）の袋の厚み方向の断面で接着剤が貫通する部分を有するように接着剤により接合されていることを特徴とする。厚み方向とは、接合部で袋を切断し、そのフィルター層の断面である。本発明では、その断面で接着剤が貫通していることを特徴とし、貫通とは、接着剤がつながって存在していることを意味する。貫通する部分とは、一部に貫通しない部分があっても、その接合部分で必ず貫通する部分を有していれば、必ずしも接合部分全体に渡って貫通していなくてもよい。例えば、接合部分にボイドがあっても、そのボイドの周辺で貫通部分を有していればよい。なお、貫通する接合部は、一つのラインではなく、複数のラインで接合されていることにより、漏れに対する安全性が高い。接着剤コーターのノズルの詰まりなどによる品質の悪化を最小限に防ぐためである。
【００１９】
本発明の接着剤接合において使用される接着剤としては、ポリビニルアルコールや澱粉系などの水溶剤接着剤、クロロプレンやニトリルゴムなどを溶剤に溶解した溶剤系接着剤、アクリル系や酢酸ビニル系などのエマルジョン接着剤、エポキシやシアノアクリレートなどの無溶剤系接着剤、室温では固体であるが熱によって溶融して使用するエチレン−酢酸ビニル共重合体を主成分とするホットメルト接着剤などがある。これらの接着剤は、不織布中によく含浸し、貫通することができるばかりでなく、フィルター層を構成する繊維を損傷することもないので、本発明における接着剤接合に適合する。これらの接着剤のうち、本発明では、水溶剤接着剤、エマルジョン接着剤、ホットメルト接着剤が、環境を汚染することもなく、作業性もよいので、本発明においては特に好ましい。
【００２０】
本発明における前記貫通する接合部のさらに袋の周辺部において、フィルター層Ａの外層材とフィルター層Ｂの外層材とが接合されていることが好ましい。このようにすることによって、袋の強度を維持し、袋がメルトブロー不織布層等で層間剥離をすることを防止できる。なお、フィルター層Ａの外層材と、フィルター層Ｂの外層材の間に、中間層材や内層材の層があっても、それらを介してフィルター層Ａの外層材とフィルター層Ｂの外層材が接合一体化されていてもよい。なおこのいずれの場合の接合も、必ずしも接着剤接合には限定されず、融着等も採用することができる。この接合部は、袋の強度を維持するための接合であって、仮に部分的に接合不良や融着による繊維の切断や切れ目が生じても、袋内部からの塵埃の漏れ防止には影響しない。前記貫通する接合部の存在によって、漏れ防止が実現できているからである。
【００２１】
本発明の電気掃除機は、上記本発明の電気掃除機用集塵袋を装着していることを特徴とする。本発明の電気掃除機用集塵袋が装着されることにより、微細なゴミの捕集性の良い高品質な電気掃除機となり、人間の健康を守り居住環境を良くする。
【発明の効果】
【００２２】
本発明は、上記のように接合された電気掃除機用集塵袋を備えたことで、漏れが少なくフィルター特性の良い高集塵効率の電気掃除機用集塵袋および電気掃除機とすることができた。特に、大気塵、アレルギーの原因となるダニの死骸や糞、花粉症の原因となる物質などを殆ど透過することがない、健康に良く環境を汚すことのない、合掌方式の電気掃除機用集塵袋を提供することができた。
【発明を実施するための最良の形態】
【００２３】
以下本発明を図面で示す実施例に基づいて説明する。図１は、本発明に使用される合掌方式による電気掃除機用集塵袋の例を示す斜視図である。電機掃除機用集塵袋１は、フィルター層２（フィルター層Ａ）とフィルター層３（フィルター層Ｂ）からなり、袋の周辺部が接合部４ａ、４ｂ、４ｃ、４ｄで接合されて袋を形成される。電気掃除機用集塵袋１には、吸引口５が開けられている支持板６を有しており、電機掃除機本体（図示していない）より吸引してきた空気が取り込めるようになっている。この支持板６は、外層材を貫通して、中間層材であるメルトブロー不織布と接着剤接合していることが望ましい。なお、接合部４ａ、４ｂ、４ｃ、４ｄは、１本の帯で示したが、これらの接合部は必要に応じ複数のラインから構成されてもよい。
【００２４】
図２の（Ａ）図は、従来使用されている一般的な胴貼方式による電気掃除機用集塵袋１０を示す斜視図である。袋の前後は折り返し接合部１１ａ、１１ｂを有している。袋の胴体部は、フィルター層の外層材１２が内層材と接合されている胴貼方式で接合された胴貼部１３を有する。胴貼方式では、袋の側面にギャザーまたはガゼットを有しており、このガゼットの折り返し線１４ａ、１４ｂが存在する。図（Ｂ）は、折り返し接合部１１の構造で、胴貼部１３における断面図で示す。図で示すフィルター層ａ、ｂ、ｃは、同一のフィルター層からなっている。集塵袋１０の内側を内層とし、外側を外層とすると、胴貼部１３では、フィルター層の外側の内層材１５ａと内側の外層材１２ｂとが接合部Ｍａで接合している。中間層材１６ａは、外側の外層材１２ａと内層材１５ａの間に存在し、内側の中間層材１６ｂは、内側の外層材１２ｂと内層材１５ｂの間に存在する。また、図には示していないが、外層材１２ａと中間層材１６ａ、内層材１５ａと中間層材１６ａ、外層材１２ｂと中間層材１６ｂ、内層材１５ｂと中間層材１６ｂの各層は、胴貼部の任意の位置で、帯状に融着方式や接着剤方式によって接合し、袋の強度を高める場合が多い。もう一方のフィルター層ｃは、袋内部であるＮ部の外側に、外層材１２ｃ、内層材１５ｃ、中間層材１６ｃとからなっており、折り返し部でフィルター層ａ、ｂ、ｃが重ねられて折り返される。折り返し部では、さらに接合部Ｍｂ、必要に応じてＭｃを有し、折り返し構造を安定化させている。
【００２５】
図３は、本発明に使用される２方接着剤接合や３方接着剤接合の例を示す斜視図である。図（Ａ）は、２方接着剤接合による電気掃除機用集塵袋２１の例で、袋の前後を折り返し接合部２２ａ、２２ｂで接合され、袋の両サイドに接着剤接合部２３ａ、２３ｂで形成されている。図（Ｂ）は、３方向接着剤接合による電機掃除機用集塵袋２６の例を示すもので、フィルター層２７が内層材を内側にして折り返されており、折り返し部ではない３方が接合部２８ａ、２８ｂ、２８ｃで接着剤接合されて袋が形成されている。また、図（Ｂ）の方式で、接合部２８ａ、２８ｃの部分を図（Ａ）の折り返し接合とすることで、接合部２８ｂのみの１方接着剤接合とすることができる。なお、４方接着剤接合は図１で示した。
【００２６】
図４は、本発明に使用される接着剤接合の例を示す袋の接合部の断面図を示す。フィルター層３１Ａ（フィルター層Ａ）は、中間層材３２ａの両面に外層材３３ａ、内層材３４ａが積層されて構成されている。同様に、フィルター層３１Ｂ（フィルター層Ｂ）は、中間層材３２ｂの両面に外層材３３ｂ、内層材３４ｂが積層されて構成されている。そして、中間層材３２ａと内層材３４ａは、接合部Ｓａ−１で接着剤接合され、中間層材３２ｂと内層材３４ｂは、接合部Ｓｂ−１で接着剤接合されている。内層材３４ａと内層材３４ｂとは、接合部Ｓｃ−１で接着剤接合されている。外層材３３ａと外層材３３ｂは、接合部Ｓａ−１、Ｓｂ−１、Ｓｃ−１の袋のさらに外側において接合部Ｓｄ−１で接合されている。接合部Ｓｄ−１は接合部Ｓａ−１、Ｓｂ−１、Ｓｃ−１に可及的に近い位置が望ましく、これらの一部に重なってもよいが、これらより内側に位置してはならない。本発明においては、接合部Ｓａ−１、Ｓｃ−１、Ｓｂ−１の間で、接着剤が貫通するように接合されていることが必要である。集塵袋内の微細ゴミを含んだエアーは、点線Ａで示すように袋の内部から内層材３４、中間層材３２、外層材３３により濾過されて袋の外に排出される。また実線Ｐで示すように、袋の内部のエアーが接合部Ｓａ−１、Ｓｃ−１、Ｓｂ−１で接着剤層に遮られる場合は、点線Ｅのように中間層材３２中を通過して濾過された後、集塵袋の外に排出される。
【００２７】
なお、接合部Ｓａ−１、Ｓｃ−１、Ｓｂ−１の外側に、同様な接着剤が貫通している接着剤接合部Ｓａー３、Ｓｃ−２、Ｓｂ−３を設ける場合の例を図５に示す。一つの接合部に欠陥があっても集塵効率を損なうことがないからである。また必要に応じ、中間層材３２ａと外層材３３ａは、接合部Ｓａ−２で接着剤接合され、中間層材３２ｂと外層材３３ｂは、接合部Ｓｂ−２で接着剤接合されているが、その接合場所は、袋周辺部であれば場所は特定されない。本発明における接合部Ｓａ−２、Ｓｂ−２における接合は、接着剤接合であることが望ましい。接着剤接合により、中間層材が損傷をできるだけ少なくすることができるからである。本発明における接合部Ｓｄ−１は、必ずしも接着剤接合の必要はなく、ヒートシール、溶断、縫製等の他の接合手段でもよい。この部分におけるフィルターすべき空気は、全て中間層材３２を通過した空気しか存在せず、フィルター特性には影響しないからである。
【００２８】
図６は、接合部Ｓｄ−２がフィルター層Ａとフィルター層Ｂの外層材３３の他、中間層材３２や内層材３４も合わせて接合一体化されている例を示す。このようにすることにより、接合工程をより単純化することができる。また接合部Ｓｄ−２においても、接合手段は必ずしも接着剤接合の必要はなく、ヒートシール、溶断、縫製等の他の接合手段でもよい。
【００２９】
図７は、本発明に適合しない接着剤接合の例を示す袋の接合部の断面図である。この図では、接合部Ｓａ−１、Ｓｃ、Ｓｂ−１の間で接着剤が貫通するように接合されておらず、集塵袋内部の微細ゴミを含んだエアーは、実線Ｑで示すように、中間層材３４を通過することなく集塵袋の外に排出されてしまう。
【産業上の利用可能性】
【００３０】
本発明は、電気掃除機用集塵袋およびそれが装着された電気掃除機であり、集塵効率の大きなフィルター特性を備えていることより、健康や住環境の向上に寄与する。
【図面の簡単な説明】
【００３１】
【図１】本発明に使用される合掌方式による電気掃除機用集塵袋の例を示す斜視図。
【図２】従来使用されている胴貼方式による電気掃除機用集塵袋で、図（Ａ）は袋全体を示す斜視図で、図（Ｂ）は折り返し接合部の構造を示す断面図。
【図３】本発明に使用される２方接着剤接合や３方接着剤接合の例を示す斜視図。
【図４】本発明に使用される接着剤接合の例を示す袋の接合部の断面図。
【図５】本発明に使用される接着剤接合の他の例を示す袋の接合部の断面図。
【図６】本発明に使用される接着剤接合のさらに他の例を示す袋の接合部の断面図。
【図７】本発明に適合しない接着剤接合の例を示す袋の接合部の断面図。
【符号の説明】
【００３２】
１：電気掃除機用集塵袋、  ２：フィルター層Ａ、  ３：フィルター層Ｂ、
４：接合部、  ５：吸引口、  ６：支持板。
１０：電気掃除機用集塵袋、  １１：折り返し接合部、  １２：外層材、
１３：胴貼部、  １４：ガゼットの折り返し線、  １５：内層材、１６：中間層材、
Ｍａ：胴貼接合部、  Ｍｂ、Ｍｃ：折り返し接合部。
２１：電気掃除機用集塵袋、  ２２：折り返し接合部、  ２３：接着剤接合部、
２６：電気掃除機用集塵袋、  ２７：フィルター層、  ２８：接着剤接合部。
３１Ａ：フィルター層Ａ、  ３１Ｂ：フィルター層Ｂ、  ３２：中間層材、
３３：外層材、  ３４：内層材、
Ｓａー１、Ｓｂ−１：内層材と中間層材との接着剤接合部、
Ｓａ−２、Ｓｂ−２：中間層材と外層材との接合部分、
Ｓａ−３、Ｓｂ−３：内層材と中間層材との接合部分、
Ｓｃ：内層材相互間の接合部、
Ｓｄ−１：外層材相互間の接合部、
Ｓｄ−２：フィルター層Ａとフィルター層Ｂの外層材、中間層材、内層材が接合一体化されている接合部。
Ａ、Ｅ、Ｐ、Ｑ：エアーの通路。
【図１】
2008079905.tif 000003
【図２】
2008079905.tif 000004
【図３】
2008079905.tif 000005
【図４】
2008079905.tif 000006
【図５】
2008079905.tif 000007
【図６】
2008079905.tif 000008
【図７】
2008079905.tif 000009